(57)【要約】【課題】継手で区切られた配管単品毎の管理を可能とし、実際の配管に対応するデータ上の配管を容易に特定することを目的とする。【解決手段】継手で区切られた配管単品に識別情報としての管番号を割り当て、配管単品毎の管理を可能とする。管の指定については、例えば、配管の取り付け状態を周辺情報とともに三次元画像として表示部に表示し、この表示画面上での配管の特定を可能とする。ユーザにより配管の特定がされると、特定された配管に関連付けられている管番号が取得され、この管番号を検索情報として検索部による第１記憶部の検索が行われる。第１記憶部には、配管単品の管番号と配管情報とが関連付けられて格納されている。検索部が管番号を検索情報として第１記憶部を検索することにより、三次元画像上でユーザによって指定された配管の配管情報、例えば、管の形状、サイズ等の情報が取得され、表示画面に表示される。【選択図】図１１
2015127890.tif 000002
【特許請求の範囲】
【請求項１】
船舶の配管を管理する配管管理装置であって、
継手で区切られた配管単品毎に固有の識別情報が割り当てられ、前記配管の識別情報と配管情報とを関連付けた配管管理情報を格納する第１記憶手段と、
前記配管の取り付け状態が周辺情報と共に三次元で表示可能とされ、画像上の配管にその配管の識別情報が関連付けられた三次元画像データを格納する第２記憶手段と、
入力手段と、
表示手段と、
前記入力手段から検索情報が入力された場合に、前記検索情報に基づいて前記第１記憶手段及び前記第２記憶手段を検索し、該検索情報に関連付けられている情報を取得する検索手段と、
前記検索手段によって取得された検索結果を用いて、表示画面を作成する画面作成手段と
を備え、
前記表示手段に表示された前記三次元画像上において、特定の配管を指定する情報が前記入力手段から入力された場合に、前記検索手段は、指定された前記配管に関連付けられている識別情報を検索情報として、前記第１記憶手段から関連する配管情報を取得する配管管理装置。
【請求項２】
前記配管情報には、施工時における情報が含まれている請求項１に記載の配管管理装置。
【請求項３】
前記配管の識別情報と点検に関する注意事項とが関連付けられた注意情報を格納する第３記憶手段を備え、
前記検索手段は、前記検索情報に基づいて前記第１記憶手段及び前記第３記憶手段を検索する請求項１または請求項２に記載の配管管理装置。
【請求項４】
前記配管の識別情報と点検整備に関する情報が関連付けられた点検整備情報が格納された第４記憶手段を備え、
前記検索手段は、前記検索情報に基づいて前記第１記憶手段、前記第３記憶手段、及び前記第４記憶手段を検索する請求項１から請求項３のいずれかに記載の配管管理装置。
【請求項５】
前記検索手段による検索結果が表示された表示画面には、検索結果として表示された前記配管の三次元画像の表示を要求するための要求手段が設けられている請求項１から請求項４のいずれかに記載の配管管理装置。
【請求項６】
前記表示手段に表示された配管を含む三次元画像上において、配管上でダブルクリックすることにより、当該配管の指定が可能である請求項１から請求項５のいずれかに記載の配管管理装置。
【請求項７】
請求項１から請求項６のいずれかに記載の配管管理装置と、
前記配管管理装置と通信媒体を介して接続され、前記配管管理装置と双方向の通信が可能とされたユーザ端末と
を備え、
前記ユーザ端末は、
前記配管管理情報を格納する第５記憶手段と、
前記三次元画像データを格納する第６記憶手段と、
入力手段と、
表示手段と、
前記入力手段から検索情報が入力された場合に、前記検索情報に基づいて前記第５記憶手段及び前記第６記憶手段を検索し、該検索情報に関連付けられている情報を取得する検索手段と、
前記検索手段によって取得された検索結果を用いて、表示画面を作成する画面作成手段と
を備え、
前記表示手段に表示された前記三次元画像上において、特定の配管を指定する情報が前記入力手段から入力された場合に、前記検索手段は、指定された前記配管に関連付けられている識別情報を検索情報として、前記第５記憶手段から関連する配管情報を取得する配管管理システム。
【請求項８】
前記ユーザ端末は、前記第５記憶手段及び前記第６記憶手段を備える代わりに、前記第１配管管理装置の前記第１記憶手段及び前記第２記憶手段にアクセス可能とされ、前記第１記憶手段及び前記第２記憶手段から情報を取得して前記表示手段に表示させる請求項７に記載の配管管理システム。
【請求項９】
船舶の配管を管理する配管管理方法であって、
継手で区切られた配管単品毎に固有の識別情報が割り当てられ、前記配管の識別情報と配管情報とを関連付けた配管管理情報、及び、前記配管の取り付け状態が周辺情報と共に三次元で表示可能とされ、画像上の配管にその配管の識別情報が関連付けられた三次元画像データを予め用意し、
前記三次元画像が表示された表示画面上において、特定の配管を指定する情報が入力された場合に、指定された前記配管に関連付けられている識別情報を検索情報として前記配管管理情報を検索して、前記識別情報に関連付けられている前記配管情報を取得し、
取得した前記配管情報を用いて表示画面を作成し、表示する配管管理方法。
【発明の詳細な説明】
【技術分野】
【０００１】
本発明は、船舶の配管を管理する配管管理装置及び管理方法並びに配管管理システムに関するものである。
【背景技術】
【０００２】
一般的に、船舶における配管の管理は、その膨大な数からフランジやスリーブ等の継手で区切られた配管単品単位での管理が難しく、系統単位での管理がなされている。
特許文献１には、火力発電所等のプラントにおける多数の装置・部品の保守点検管理を、系統図を用いて行うことが開示されている。
【先行技術文献】
【特許文献】
【０００３】
【特許文献１】特開２００４−３５５３８０号公報
【発明の概要】
【発明が解決しようとする課題】
【０００４】
しかしながら、船舶の配管は、複数の配管系統が入り組んで配置されているため、系統図に表されている配管単品と実際の配管単品との対応付けが難しく、例えば、交換が必要な配管単品が系統図のどの配管単品に該当するのかを特定することができないという問題がある。
【０００５】
また、配管の点検整備は、配管単品の形状等によって劣化の度合いが変わってくることから、点検整備スケジュールを配管単品単位で立案することが好ましい。しかしながら、従来は、点検整備のスケジュールも配管系統単位とならざるを得なかった。
【０００６】
本発明は、このような事情に鑑みてなされたものであって、継手（例えば、フランジやスリーブ等）で区切られた配管単品毎の管理を可能とし、実際の配管単品と管理データ上の配管単品との対応付けを容易に行うことのできる船舶の配管管理装置及び管理方法並びに配管管理システムを提供することを目的とする。
【課題を解決するための手段】
【０００７】
本発明の第１態様は、船舶の配管を管理する配管管理装置であって、継手で区切られた配管単品毎に固有の識別情報が割り当てられ、前記配管の識別情報と配管情報とを関連付けた配管管理情報を格納する第１記憶手段と、前記配管の取り付け状態が周辺情報と共に三次元で表示可能とされ、画像上の配管にその配管の識別情報が関連付けられた三次元画像データを格納する第２記憶手段と、入力手段と、表示手段と、前記入力手段から検索情報が入力された場合に、前記検索情報に基づいて前記第１記憶手段及び前記第２記憶手段を検索し、該検索情報に関連付けられている情報を抽出する検索手段と、前記検索手段によって抽出された検索結果を用いて、表示画面を作成する画面作成手段とを備え、前記表示手段に表示された前記三次元画像上において、特定の配管を指定する情報が前記入力手段から入力された場合に、前記検索手段は、指定された前記配管に関連付けられている識別情報を検索情報として、前記第１記憶手段から関連する配管情報を取得する配管管理装置である。
【０００８】
上記配管管理装置によれば、配管の取り付け状態が周辺情報とともに三次元で表示可能とされているので、実際の配管の取付状態と同じ画像を表示画面に表示させることが可能となる。したがって、この三次元画像上で所望の配管を容易に特定することが可能となる。また、三次元画像上に表示されている各配管単品には固有の識別情報が関連付けられていることから、三次元画像上で特定の配管を指定することで、その配管の識別情報を取得することができる。また、第１記憶手段には、配管の識別情報と配管情報とが関連付けられた配管管理情報が格納されている。したがって、三次元画像上で入力された配管の識別情報を検索情報として検索手段が第１記憶手段を検索することで、ユーザによって指定された配管単品の配管情報を抽出することができる。そして、検索手段によって取得された配管情報に基づいて所定の表示画面が画面作成手段によって作成されて表示手段に表示されることで、ユーザは自身が指定した配管の詳細情報（例えば、サイズ、形状等）を確認することができる。
上記配管情報は、例えば、生産設計情報を用いて作成することが好ましい。生産設計情報には、配管を製造する際に必要となる十分な情報が記載されているので、この情報を用いることで、新たに情報を作り直す必要がなくなり、データベース構築の際の作業者の負担を軽減することができる。また、上記三次元画像データは、例えば、生産設計時における配管取付図の三次元ＣＡＤデータ等を用いることが可能である。
ここで、上記配管管理情報は、配管系統毎に設けられていてもよい。
【０００９】
上記配管管理装置において、前記配管情報には、施工時における情報が含まれていてもよい。
配管情報に施工時における情報が含まれているので、この情報を参照して施工を行うことにより、円滑に作業を進めることができ、作業効率を高めることが可能となる。
【００１０】
上記配管管理装置は、前記配管の識別情報と点検に関する注意事項とが関連付けられた注意情報を格納する第３記憶手段を備え、前記検索手段は、前記検索情報に基づいて前記第１記憶手段及び前記第３記憶手段を検索することとしてもよい。
【００１１】
例えば、配管の形状や配管を流れる流体によって、配管閉塞や腐食等が発生しやすいかどうかを、ある程度予測することができる。したがって、配管形状や配管を流れる流体に応じて、予め点検に関する注意事項を登録しておくことで、点検時に注意することや、点検時期を設定する際に役立てることができる。
【００１２】
上記配管管理装置は、前記配管の識別情報と点検整備に関する情報が関連付けられた点検整備情報が格納された第４記憶手段を備え、前記検索手段は、前記検索情報に基づいて前記第１記憶手段、前記第３記憶手段、及び前記第４記憶手段を検索することとしてもよい。
【００１３】
配管の識別情報と関連付けて点検整備に関する情報が登録されているので、配管単品毎の点検整備管理を容易に行うことができる。これにより、対症療法的な配管の交換ではなく、配管単品毎の特徴等に合わせた適切な点検スケジュールを立案することが可能となる。
【００１４】
上記配管管理装置において、前記検索手段による検索結果が表示された表示画面には、検索結果として表示された前記配管の三次元画像の表示を要求するための要求手段が設けられていてもよい。
このように、配管情報等が表示された表示画面に、配管の三次元画像の表示を要求するための要求手段が設けられているので、この要求手段を操作することで、容易に配管の画像を表示させることが可能となる。
【００１５】
また、前記表示手段に表示された配管を含む三次元画像上において、配管上でダブルクリックすることにより、当該配管を指定することとしてもよい。
これにより、操作性を向上させることができる。
【００１６】
本発明の第２態様は、上記配管管理装置と、前記配管管理装置と通信媒体を介して接続され、前記配管管理装置と双方向の通信が可能とされたユーザ端末とを備え、前記ユーザ端末は、前記配管管理情報を格納する第５記憶手段と、前記三次元画像データを格納する第６記憶手段と、入力手段と、表示手段と、前記入力手段から検索情報が入力された場合に、前記検索情報に基づいて前記第５記憶手段及び前記第６記憶手段を検索し、該検索情報に関連付けられている情報を取得する検索手段と、前記検索手段によって取得された検索結果を用いて、表示画面を作成する画面作成手段とを備え、前記表示手段に表示された前記三次元画像上において、特定の配管を指定する情報が前記入力手段から入力された場合に、前記検索手段は、指定された前記配管に関連付けられている識別情報を検索情報として、前記第５記憶手段から関連する配管情報を取得する配管管理システムである。
【００１７】
上記配管管理システムにおいて、前記ユーザ端末は、前記第５記憶手段及び前記第６記憶手段を備える代わりに、前記第１配管管理装置の前記第１記憶手段及び前記第２記憶手段にアクセス可能とされ、前記探索手段は、前記第１記憶手段及び前記第２記憶手段から情報を取得することとしてもよい。
【００１８】
本発明の第３態様は、船舶の配管を管理する配管管理方法であって、継手で区切られた配管単品毎に固有の識別情報が割り当てられ、前記配管の識別情報と配管情報とを関連付けた配管管理情報、及び、前記配管の取り付け状態が周辺情報と共に三次元で表示可能とされ、画像上の配管にその配管の識別情報が関連付けられた三次元画像データを予め用意し、前記三次元画像が表示された表示画面上において、特定の配管を指定する情報が入力された場合に、指定された前記配管に関連付けられている識別情報を検索情報として前記配管管理情報を検索して、前記識別情報に関連付けられている前記配管情報を取得し、取得した前記配管情報を用いて表示画面を作成し、表示する配管管理方法である。
【発明の効果】
【００１９】
本発明によれば、継手（例えば、フランジやスリーブ等）で区切られた配管単品毎の管理ができるとともに、実際の配管に対応するデータ上の配管を容易に特定することができるという効果を奏する。
【図面の簡単な説明】
【００２０】
【図１】本発明の一実施形態に係る配管管理システムの全体構成を概略的に示した図である。
【図２】本発明の一実施形態に係る配管管理装置及びユーザ端末のハードウェア構成の一例を示した図である。
【図３】本発明の一実施形態に係る配管管理装置の機能ブロック図である。
【図４】本発明の一実施形態に係るユーザ端末の機能ブロック図である。
【図５】配管の導設形状の区分について説明するための図である。
【図６】検索入力画面の一例を示した図である。
【図７】三次元画像から配管を特定する場合の検索入力例を示した図である。
【図８】三次元画像の一例を示した図である。
【図９】三次元画像の一例を示した図である。
【図１０】三次元画像の一例を示した図である。
【図１１】三次元画像の一例を示した図である。
【図１２】図１１に示された三次元画像において、特定の配管が指定された場合の検索結果の表示画面の一例を示した図である。
【図１３】図５に示した検索入力画面において、条件検索が指定された場合の検索結果の表示画面の一例を示した図である。
【図１４】図１３に示した表示画面において、特定の配管について三次元表示が要求された場合の表示画面の一例を示した図である。
【図１５】汚物処理管の配管系統の表示画面の一例を示した図である。
【図１６】配管系統と配置区画とを関連付けて示した表示画面の一例を示した図である。
【図１７】検索結果としての諸管管理表の一例を示した図である。
【発明を実施するための形態】
【００２１】
以下に、本発明の一実施形態に係る配管管理装置及び管理方法並びに配管管理システムについて図面を参照して説明する。本実施形態に係る配管管理システムは、船舶に艤装された配管系統において、継手（例えば、フランジ、スリーブ等）で区切られた配管単品毎に固有の識別情報（例えば、管番号）を割り当て、これにより、配管単品単位での管理を実現するものである。図１は、本発明の一実施形態に係る配管管理システムの全体構成を概略的に示した図である。図１に示すように、配管管理システム１は、配管管理装置２及び配管管理装置２とインターネットを介して接続されるユーザ端末３とを備えている。配管管理装置２は、例えば、船舶メーカ側が保有するものであり、ユーザ端末３は船舶の所有者側が保有するものである。
【００２２】
図２に、配管管理装置２及びユーザ端末３のハードウェア構成の一例を示す。図２に示すように、配管管理装置２及びユーザ端末３は、例えば、パーソナルコンピュータなどの汎用コンピュータであり、ＣＰＵ１１と、ＣＰＵ１１が実行するプログラム等を記憶するためのＲＯＭ（Ｒｅａｄ  Ｏｎｌｙ  Ｍｅｍｏｒｙ）１２と、各プログラム実行時のワーク領域として機能するＲＡＭ（Ｒａｎｄｏｍ  Ａｃｃｅｓｓ  Ｍｅｍｏｒｙ）１３と、大容量記憶装置としてのハードディスクドライブ（ＨＤＤ）１４と、ネットワークに接続するための通信インターフェース１５と、外部記憶装置１６が装着されるアクセス部１７と、キーボードやマウス等からなる入力部１８、およびデータを表示する液晶表示装置等からなる表示部１９を備えている。これら各部は、バス２０を介して接続されている。
【００２３】
なお、ＣＰＵ１１が実行するプログラム等を記憶するための記憶媒体は、ＲＯＭ１２に限られない。例えば、磁気ディスク、光磁気ディスク、半導体メモリ等の他の補助記憶装置であってもよい。
【００２４】
図３は配管管理装置２が備える機能を示した機能ブロック図、図４はユーザ端末が備える機能を示した機能ブロック図である。
図３に示すように、配管管理装置２は、入力部３１、表示部３２、通信部３３、検索部３４、画面作成部３５、第１記憶部３６、第２記憶部３７、第３記憶部３８、及び第４記憶部３９等を備えている。
図４に示すように、ユーザ端末３は、入力部４１、表示部４２、通信部４３、検索部４４、画面作成部４５、第５記憶部４６、第６記憶部４７、第７記憶部４８、第８記憶部４９を備えている。
【００２５】
第１記憶部３６には、配管識別情報と配管情報とが関連付けられた配管管理情報が格納されている。配管情報は、主に、配管の製造・取付時に必要となる情報であり、例えば、管の材質、口径、長さ、曲り角度、貫通、形状、当該配管が属する配管系統における位置、当該配管が配置されている船舶における配置区画、管内を流通する液体の種類、施工時における注意事項等の情報が挙げられる。一般的に、船舶の生産設計情報には、これら情報が記載されていることから、生産設計情報を配管情報として用いることとしてもよい。
この配管管理情報は、例えば、配管系統毎に設けられていてもよい。
【００２６】
第２記憶部３７には、配管の取り付け状態が周辺情報と共に三次元で表されるとともに、画像上の配管にその配管の識別情報が関連付けられた三次元画像データが格納されている。例えば、船舶の新造時には、船殻図面、総合艤装図等が三次元ＣＡＤ等の設計装置を用いて作成される。総合艤装図は、船内における配管の実際の組み付け状態がその周辺設備（例えば、壁、天井等）とともに三次元で表されている。したがって、例えば、総合艤装図を上記三次元画像データとして用いることとしてもよい。また例えば、配管系統毎に３次元画像データを用意しておくことで、配管系統単位で表示／非表示を制御することが可能となる。さらに、壁・天井、他の装備品毎に３次元画像データを作成しておくことで、これらについても表示／表示を切り替えることが可能となる。これにより、ユーザが所望する部品、例えば、配管と壁などのように、表示させる部品の組み合わせを任意に選択することが可能となる。
【００２７】
第３記憶部３８には、配管の識別情報と点検に関する注意事項とが関連付けられた注意情報が格納されている。例えば、図５に示すように、配管の導設形状は、横下がり（図５（ａ）参照）、横上がり（図５（ｂ）、（ｄ）参照）、横曲がり（図５（ｃ）参照）等のようにさまざまであり、導設形状に応じて注意すべき点がある。例えば、横上がり等では、閉塞の可能性が他の導設形状に比べて高いといえる。また、配管を流通する流体の種類によっても、他の配管と比べて腐食しやすい等の注意事項がある。点検に関する注意事項とは、上記のような注意事項およびその危険度を予め登録したものである。注意事項の一例として、「屈曲管、閉塞確認」、「分岐点、閉塞確認」、「Ｕ字管、閉塞確認」等が挙げられる。
【００２８】
第４記憶部３９には、配管の識別情報と点検整備データとが関連付けられた点検整備情報が格納されている。点検整備は、例えば、過去の点検日及び点検内容、将来予定されている点検時期及び点検内容等が挙げられる。
【００２９】
検索部３５は、入力部３１から第１記憶部３６〜第４記憶部３９に記憶された情報を検索するためのキーワードとなる検索情報が入力された場合に、その検索情報に基づいて第１記憶部〜第４記憶部３９から合致する情報を検索し、検索結果を画像作成部３５に出力する。
画像作成部３５は、所定のアルゴリズムに基づいて、検索部３５による検索結果から表示画面データを作成し、表示部３２に出力する。
【００３０】
ユーザ端末３の第５記憶部４６には、上述した第１記憶部３６と共通の情報が格納されている。また、同様に、第６記憶部４７、第７記憶部４８、第８記憶部４９には、上述した第２記憶部３７、第３記憶部３８、第４記憶部３９と共通の情報が格納されている。また、検索部４４、画面作成部４５の機能も上記検索部３４、画面作成部３５と同様である。また、通信部３３、４３は、配管管理装置２とユーザ端末３との間の双方向通信を可能とするためのものである。
【００３１】
なお、ユーザ端末３において、第７記憶部４８及び第８記憶部４９については設置が省略されてもよい。また、ユーザ端末３に第５記憶部４６〜第８記憶部４９を設けることに代えて、配管管理装置２の第１記憶部３６〜第４記憶部３９にアクセスすることにより、あたかもユーザ端末３がこれらの情報を保有しているかのようなふるまいを見せることとしてもよい。このとき、配管管理装置２の第３記憶部３８、第３記憶部３９については、アクセス権限を設けることにより、例えば、ユーザ端末３から閲覧等ができない構成としてもよい。このようにアクセス権限を設けることで、ユーザ側に提示したくない情報を秘匿することができる。
【００３２】
次に、上記構成を備える配管管理システム１の動作について図を参照して説明する。なお、以下の動作については、主にユーザ端末３から入力操作が行われることとして説明をするが、配管管理装置２においても同様の入力操作や検索結果を得ることが可能である。
【００３３】
例えば、ユーザ端末３を起動させると、図６に示すような検索入力画面が表示部４２に表示される。この検索入力画面には、検索情報として、部品に関するキーワードを入力するための部品情報入力欄Ｋ１、整備来歴情報に関するキーワードを入力するための整備来歴入力欄Ｋ２が設けられている。
【００３４】
例えば、部品情報入力欄Ｋ１には、配管系統、管番号、管材の入力欄が設けられている。管番号、管材については、前方一致検索も可能とされている。整備来歴入力欄Ｋ２には、検査・修理区分、工事期間、基準年月、最終検査、部品交換等の入力欄が設けられている。更に、整備来歴入力欄Ｋ２には、要注意部品のみ検索、交換目安超過部品のみ検索などの検索条件を選択する入力欄が設けられている。
また、検索入力画面には、条件結果をリスト表示させる条件検索を行うか、三次元画像として表示させる三次元条件検索を行うかを選択するための検索タイプ指定欄Ｋ３が設けられている。また、三次元条件検索に付随する情報として、表示／非表示させる内容を選択するための表示詳細選択欄Ｋ４が設けられている。表示詳細選択欄Ｋ４には、船殻、管以外について、それぞれ表示、半透明、非表示を選択する欄、配管を全て表示させるか、それとも選択した系統に属する配管のみを表示させるかを選択する欄、遠近法及び平面透視のいずれの表示法とするかを選択する欄等が設けられている。
【００３５】
この検索入力画面において、ユーザが三次元画像から配管を特定したい場合、配管に関して把握している情報を配管情報入力欄Ｋ１に入力するとともに、表示詳細選択欄Ｋ４において所望の条件を指定し、検索タイプ指定欄Ｋ３の「３Ｄ条件検索」をクリックする。
例えば、司令室の甲板散水管の一部に漏水が発見され、その漏水部分の配管の発注作業を行う場合、ユーザは、図７に示すように、部品情報入力欄Ｋ１の配管系統に「甲板散水管」を入力するとともに、表示詳細選択欄Ｋ４において、所望の条件、例えば、船殻表示、管以外非表示、選択状態の配管のみ表示、遠近法を選択して、検索タイプ指定欄Ｋ３の「３Ｄ条件検索」をクリックする。
【００３６】
上記入力がされると、検索部４４によって、第６記憶部４７に格納されている船舶全体の三次元画像データ、例えば、総合艤装図の三次元画像データ、あるいは、船殻構造の三次元画像データと配管系統の三次元画像データとを重畳させた三次元画像データが読み出され、読み出された三次元画像が表示部４２に表示される。表示された船舶全体の三次元画像において、ユーザは交換を希望する配管が配置されている区画、例えば、「司令室」をクリックする。これにより、例えば、図８に示すような司令室の三次元画像が表示部４２に表示される。ここで、表示画像は、表示詳細選択欄Ｋ４において選択された条件に基づく画像とされている。すなわち、管以外の装置・機器が非表示とされ、かつ、甲板散水管以外の配管が非表示とされている。この画像において、ユーザは所望の位置をクリックすることにより、画像を所望の方向に進めていくことができる（図９参照）。
【００３７】
このようにして、三次元画像を段階的に切り替えることにより、漏水位置の風景と一致している箇所を表示させる（図１０参照）。三次元画像における各配管単品には、図１０に示すようにその配管の管番号（識別情報）が表示されているので、ユーザは交換対象の配管の管番号を把握することができる。また、図８〜図１０に示すように、三次元画像の表示画面には表示詳細選択欄Ｋ４が設けられており、所望の表示内容の切替えが可能とされている。例えば、図１０の画面において、管の表示を「すべて表示」に切り替えることにより（図１０中、符号Ｃ１参照）、図１１に示すように、他の配管系統についても表示させることができる。これにより、実際の風景と変わらない三次元画像を表示させることができ、実際の漏水箇所の風景と、三次元画像とを照合することにより、漏水箇所を三次元画像上で間違えなく特定することができる。
【００３８】
このようにして、漏水箇所に対応する配管が特定されると、ユーザはその配管、ここでは、管番号「ＤＨ１０１２９」の配管をダブルクリックし、配管の指定を行う。なお、管の指定方法については、この例に限定されない。
上記のように配管が指定されると、検索部４４は指定された配管の管番号「ＤＨ１０１２９」を検索情報として第５記憶部４６、第７記憶部４８、第８記憶部４９の検索を行い、当該管番号に関連付けられた配管情報を抽出する。抽出した配管情報は画面作成部４５に出力され、この配管情報に基づいて検索結果を表す表示画面が画面作成部４５によって作成されて表示部４２に表示される。図１２に検索結果の表示例を示す。図１２に示すように、ユーザによって指定された管番号「ＤＨ１０１２９」の配管情報、注意情報、点検整備情報が検索結果として表示される。配管情報としては、フレーム、管材、口径、実径、管長が一例として示されている。また、注意情報としてＵ字箇所、漏水確認等が一例として示されている。さらに、整備情報として、交換目安、修理時期、検査予定等が一例として示されている。また、検索結果を示す表示画面には、工事請求書の自動作成を指示するボタンＢ１、工事仕様書の自動作成を指示するボタンＢ２が設けられている。
【００３９】
ユーザは、工事請求を行う場合には、漏水が発生した管番号「ＤＨ１０１２９」のチェックボックスをチェックし（図１２中の符号Ｃ２）、ボタンＢ１をクリックする。これにより、チェックボックスＣ２がチェックされた配管の工事請求書が所定のアルゴリズムに従って作成される。この工事請求書の内容が、通信部４３、ネットワークを介して配管管理装置２へ送信されることにより、造船所側へ配管工事の発注作業が完了する。
【００４０】
また、上記の工事請求書の送信に代えて、例えば、船舶所有者側から造船所側に管番号「ＤＨ１０１２９」とその工事請求の旨が電話などで通知された場合には、造船所側のオペレータが配管管理装置２に対して入力操作を行うことで、工事仕様書を自動的に作成させることも可能である。
この場合、配管管理装置２を起動させ、図６に示した検索入力画面を表示部３２に表示させる。続いて、この検索入力画面において、部品情報入力欄Ｋ１の管番号に「ＤＨ１０１２９」と入力して、条件検索を指定する。これにより、検索部３４によって管番号「ＤＨ１０１２９」を検索情報とした第１記憶部３６、第３記憶部３８、第４記憶部３９の検索が行われ、結果、図１２と同一の検索画面が表示部３２に表示される。
ユーザは、この検索結果表示画面において、漏水が発生した管番号「ＤＨ１０１２９」のチェックボックスをチェックし（図１２中の符号Ｃ２）、ボタンＢ２をクリックする。これにより、チェックボックスＣ２がチェックされた配管の工事仕様書が所定のアルゴリズムに従って作成される。この工事仕様書が表示部３２に表示されることにより、施工時における注意事項などについても把握することができ、交換工事を速やかに行うことが可能となる。
【００４１】
次に、図６に示した検索入力画面において、ユーザ端末３側のユーザによって、点検整備計画の確認作業を行う場合について説明する。例えば、今後の汚物処理管の点検整備計画を確認したい場合、ユーザは検索入力画面における部品情報入力欄Ｋ１の配管系統に「汚物処理管」を入力し、整備来歴入力欄Ｋ２の基準年月に任意の日付（例えば、平成２４年４月）を入力し、条件検索のボタンをクリックする。これにより、検索部４４によって「汚物処理管」をキーワードとする第５記憶部４６、第７記憶部４８、第８記憶部４９の検索が行われ、上述と同様に、検索結果が所定の表示形式で表示される。図１３に検索結果の表示例を示す。図１３に示すように、汚物処理の配管系統に属する配管情報等が配管単品単位でそれぞれ表示される。
【００４２】
具体的には、配管単品毎に、配管情報、点検に関する注意事項、点検整備情報が表示される。配管情報としては、例えば、管番号、甲板、フレーム、管材、口径、実径、管長が表示され、点検に関する注意事項としては、屈曲管・閉塞確認等のメッセージが表示される。また、点検整備事項として、検索入力画面で基準日として入力した時期以降、すなわち、平成２４年４月以降の点検整備情報が表示される。例えば、中間修理時期及び年次検査時期が１年単位でそれぞれ表示される。また、この表示態様として、検査目安として登録されている期間を超えて検査が行われていない配管については、その配管を強調して示すこととしてもよい。これにより、検査が必要とされる配管をユーザに認識させることができる。図１３では、検査目安期間を超えている配管の検査目安の欄にハッチングを施すことで、強調している。
【００４３】
また、図１３に示された検索結果画面において、特定の配管について三次元画像により配管形状等を確認したい場合には、ユーザはその配管のチェックボックスＣ２をチェックし、三次元表示ボタンＢ３をクリックする。これにより、例えば、図１４に示すように、指定された配管の形状を三次元画像で表示させることができる。図１４は、管番号「ＤＳ０１１７６」、「ＤＳ０１１７７」、「ＤＳ０１１７８」のチェックボックスがチェックされた場合の表示例を示している。また、図１３において、「全て選択／解除」のボタンＢ４をクリックすることにより、検索結果として示された全ての汚物処理管にチェックを入れ、三次元表示ボタンＢ３をクリックすることにより、図１５に示すように、汚物処理管の系統全てを表示させることも可能である。また、画像の表示画面においては、上述したように、表示詳細選択欄Ｋ４が設けられており、この表示詳細選択欄Ｋ４における表示条件を任意に変更することで、所望の表示態様の三次元画像を表示部４２に表示させることが可能となる。例えば、図１６、１７に表示画面の他の一例を示す。図１６は配置区画と配管系統における各配管単体の配置を示した図、図１７は諸管管理表を示した図である。このように、本実施形態に係る配管管理システムによれば、配管単品での管理を可能としているので、配管単品単位での情報の検索、抽出、表示を行うことができる。
【００４４】
以上説明してきたように、本実施形態に係る船舶の配管管理装置及び管理方法並びに配管管理システムによれば、配管の取り付け状態が周辺情報とともに三次元で表示可能とされているので、実際の配管の取付状態と同じ画像を表示画面に表示させることが可能となる。したがって、この三次元画像上で所望の配管を容易に特定することが可能となる。また、三次元画像上に表示されている各配管単品には固有の識別情報が関連付けられていることから、三次元画像上で特定の配管を指定することで、その配管の識別情報を取得することができる。また、第１記憶部３６（第５記憶部４６）には、配管の識別情報と配管情報とが関連付けられた配管管理情報が格納されている。したがって、三次元画像上で入力された配管の識別情報を検索情報として検索部３４（４４）が第１記憶部３６（第５記憶部４６）を検索することで、所望の配管の配管情報を取得することができる。そして、検索部３４（４４）によって取得された配管情報に基づいて所定の表示画面が画面作成部３５（４５）によって作成されて表示部３２（４２）に表示されることで、ユーザは自身が指定した配管の詳細情報（例えば、サイズ、形状等）を確認することができる。
【００４５】
本発明は、上述の実施形態のみに限定されるものではなく、発明の要旨を逸脱しない範囲において、種々変形実施が可能である。
【符号の説明】
【００４６】
１  船舶の配管管理システム
２  船舶の配管管理装置
３  ユーザ端末
３１、４１  入力部
３２、４２  表示部
３３、４３  通信部
３４、４４  探索部
３５、４５  画面作成部
３６  第１記憶部
３７  第２記憶部
３８  第３記憶部
３９  第４記憶部
４６  第５記憶部
４７  第６記憶部
４８  第７記憶部
４９  第８記憶部
【図１】
2015127890.tif 000003
【図２】
2015127890.tif 000004
【図３】
2015127890.tif 000005
【図４】
2015127890.tif 000006
【図５】
2015127890.tif 000007
【図６】
2015127890.tif 000008
【図７】
2015127890.tif 000009
【図８】
2015127890.tif 000010
【図９】
2015127890.tif 000011
【図１０】
2015127890.tif 000012
【図１１】
2015127890.tif 000013
【図１２】
2015127890.tif 000014
【図１３】
2015127890.tif 000015
【図１４】
2015127890.tif 000016
【図１５】
2015127890.tif 000017
【図１６】
2015127890.tif 000018
【図１７】
2015127890.tif 000019